(57)【特許請求の範囲】
【請求項１】
机の天板の後方に設置される配線収納装置であって、下部に台脚を有する左右１対の下部支柱を連結杆により連結し、前記下部支柱のそれぞれの上部に上部支柱を昇降可能に支持するとともに、これら上部支柱の上端間に、上面開口内にコンセント類を配列して装着可能な配線ボックスを架設し、該配線ボックスの上面が、前記机の天板の上面とほぼ同一面となる高さから、配線ボックスの下面が、天板の上面より上方に突出する高さまで高さ調節可能としたことを特徴とする配線収納装置。
【請求項２】
左右１対の下部支柱を連結する連結杆に、前後方向に突出するケーブル保持具を取り付けた、請求項１記載の配線収納装置。
【請求項３】
ケーブル保持具を、連結杆から前後方向に突出し、先端にフランジ状の張り出し部を形成させた巻芯の形状とした、請求項２記載の配線収納装置。
【請求項４】
左右１対の下部支柱を連結する連結杆を、上部連結杆と下部連結杆とから構成し、前記上部連結杆にはケーブル保持具を、前記下部連結杆には上部開口を有する箱体を取り付けた、請求項１記載の配線収納装置。
【請求項５】
連結杆に取り付けたケーブル保持具の突出端に、多数の小孔を穿設したカバー部材の裏面を係着して着脱自在に取り付けた、請求項１〜４のいずれかに記載の配線収納装置。
【請求項６】
下部連結杆に取り付けた箱体の突出端にも、カバー部材の裏面を係着して着脱自在に取り付けた、請求項５記載の配線収納装置。
【発明の詳細な説明】
【０００１】
【発明の属する技術分野】
本発明は、オフィス等において、机上のＯＡ機器類への配線を、自在に処理しうるようにした配線収納装置に関する。
【０００２】
【従来の技術】
従来、デスク上の電子機器類への配線を収納する装置としては、例えば特開平８−１４０７４７号公報に記載されているようなデスク用配線ボックスが知られている。
【０００３】
【発明が解決しようとする課題】
上述のデスク用配線ボックスでは、机上で使用される電子機器類の余長ケーブル類を、任意の左右位置から配線ボックス内に収納するための取り入れ口を、配線ボックス上面に左右に亘って多数設けなければならず、コンセント類を、配線ボックス上面に配列して装着するためのスペースが、狭められることになる。
【０００４】
本発明は、上述の従来技術の問題に鑑み、机に沿って配設され、コンセント類配列スペースを狭めることなく、余長ケーブルの収納を可能とするとともに、余長ケーブルの収納不要の場合には、机上を広く確保しうるようにした、配線収納装置を提供することを目的としている。
【０００５】
【課題を解決するための手段】
本発明によると、上記課題は、次のようにして解決される。
(１) 机の天板の後方に設置される配線収納装置であって、下部に台脚を有する左右１対の下部支柱を連結杆により連結し、前記下部支柱のそれぞれの上部に上部支柱を昇降可能に支持するとともに、これら上部支柱の上端間に、上面開口内にコンセント類を配列して装着可能な配線ボックスを架設し、該配線ボックスの上面が、前記机の天板の上面とほぼ同一面となる高さから、配線ボックスの下面が、天板の上面より上方に突出する高さまで高さ調節可能とする。
【０００６】
(２) 上記(１)項において、左右１対の下部支柱を連結する連結杆に、前後方向に突出するケーブル保持具を取り付ける。
【０００７】
(３) 上記(２)項において、ケーブル保持具を、連結杆から前後方向に突出し、先端にフランジ状の張り出し部を形成させた巻芯の形状とする。
【０００８】
(４) 上記(１)項において、左右１対の下部支柱を連結する連結杆を、上部連結杆と下部連結杆とから構成し、前記上部連結杆にはケーブル保持具を、前記下部連結杆には上部開口を有する箱体を取り付ける。
【０００９】
(５) 上記(１)〜(４)項のいずれかにおいて、連結杆に取り付けたケーブル保持具の突出端に、多数の小孔を穿設したカバー部材の裏面を係着して着脱自在に取り付ける。
【００１０】
(６) 上記(５)項において、下部連結杆に取り付けた箱体の突出端にも、カバー部材の裏面を係着して着脱自在に取り付ける。
【００１１】
【発明の実施の形態】
図１は、本発明の配線収納装置の一実施態様の分解斜視図である。この配線収納装置は、台脚(１)の上に立設された下部支柱(２)を、左右１対備え、これら左右の下部支柱(２)(２)は、その下部と上部において、連結杆(３)(４)により互いに連結され、安定したフレームを形成している。
【００１２】
各下部支柱(２)の上部の外側には上部支柱(５)が、上方から上下方向に滑動可能にはめ込まれている。左右の上部支柱(５)(５)の上端にわたって、配線ボックス(６)が取り付けられている。
【００１３】
上部支柱(５)の外側面には、小孔(７)が、またその下端には上向きに凹入する切り込み(８)が設けられ、これに対応して、下部支柱(２)の外側面には、３つのねじ孔(９)が上下方向に列設されている。上部支柱(５)の小孔(７)と切り込み(８)とを、下部支柱(２)のねじ孔(９)の上下に並ぶいずれか２つに整合させて、ねじ(10)を螺入することにより、上部支柱(５)の上端に取り付けられている配線ボックス(６)を、上下２つの高さ位置に設定することができる。
【００１４】
上部の連結杆(４)の左右端部には、正面視下向きコ字形のケーブル保持具(11)が、その前後部を連結杆(４)から突出させて設けられており、その前後端には、鋼線からなる方形枠状の張り出し部(11a)が固着され、連結杆(４)と各張り出し部(11a)との間は、余長ケーブルの巻芯となっている。
【００１５】
下部の連結杆(３)の左右端部の上面には、上面開口する箱体(12)が固着されている。この箱体(12)は、ＯＡタップ、ケーブル、ハブ等を収納するのに便利に用いられる。
【００１６】
左右のケーブル保持具(11)及び箱体(12)の前後を覆うカバー部材(13)が、左右前後にそれぞれ１個ずつ設けられている。このカバー部材(13)には、多数の小孔(15)が穿設され、かつこのカバー部材(13)の裏面の上下には、断面下向Ｌ形で横長のフック(14)が突設されている。これらのフック(14)を、ケーブル保持具(11)の張り出し部(11a)の上端、及び箱体(12)の上部開口に引っかけることにより、カバー部材(13)は着脱自在に取り付けられる。
【００１７】
配線ボックス(６)の上面には、電源コンセント(16a)、ネットワークコンセント(16b)類が、全長に亘って配設されている。
【００１８】
図２は、本発明の配線収納装置を、前後に対向する２つの机(Ａ)(Ａ)の間に挟んで使用する例を示す。
配線ボックス(６)は、机の天板(Ｂ)から上方に突出している。配線ボックス(６)の下面は、天板の上面より上方にあって、天板との間に若干の隙間が形成されるように、上部支柱(５)を、前記上下２つの高さ調節可能な位置のうち上方位置で、下部支柱(２)に固定してある。
【００１９】
この位置においては、図４に示すように、例えばノートパソコン(17)の電源コード(17a)のプラグ(18)を、配線ボックス(６)の電源コンセント(16a)に差し込み、電源コード(17a)の余長分を、配線ボックス(６)の下面と天板との間に形成される隙間を通して、配線収納装置内部に引き入れることができる。
この余長分が長い場合には、ケーブル保持具(11)に巻き付けることもできる。
【００２０】
図３も同様に、本発明の配線収納装置を、２つの机の間に挟んで使用する例を示す。
配線ボックス(６)は、その上面が机の天板上面とほぼ同一面となるように、上部支柱(５)を、前記上下２つの高さ調節可能な位置のうち、下方位置で、下部支柱(２)に固定してある。
【００２１】
この位置においては、図５に示すように、例えば電源コード(17a)またはケーブルのプラグ(18)は、天板面に露出している電源コンセント(16a)に差し込まれる。この例は、余長分がほとんどないＯＡ機器に好適である。
【００２２】
このように配線ボックス(６)の上面が天板上面とほぼ同一面であると、広い平面が確保でき、図面等を広げるなどしても、配線ボックス(６)が邪魔にならない。
【００２３】
図６は、横幅を、図１〜図５に示したもののほぼ半分とした変形例を示す。この場合でも、コンセントを並設し得る長さが短くなる以外は、前述の実施形態と同様である。
【００２４】
【発明の効果】
請求項１記載の発明によれば、配線ボックスの下面が、机の天板の上面より上方に突出するまで、上部支柱を上昇支持させて、天板上で使用される電気機器類の余長ケーブル類を、左右の任意の位置から、配線ボックス下面の空隙より、配線収納装置本体内に取り入れて、収容することができる。
【００２５】
請求項２記載の発明によれば、配線ボックス下面の空隙より、配線収納装置本体内に取り入れた余長ケーブルを、ケーブル保持具に巻き取って格納することができる。
【００２６】
請求項３記載の発明によれば、巻き取った余長ケーブルが、ケーブル保持具からほどけ落ちることがない。
【００２７】
請求項４記載の発明によれば、１対の下部支柱を、その上下部で連結してあるので、フレーム構造を強固なものとすることができ、かつ下部連結杆に取り付けた箱体に、ＯＡタップ、ケーブル、ハブ等を収納することができる。
【００２８】
請求項５記載の発明によれば、多数の小孔を穿設して軽量化されたカバー部材を、特別な部材を用いることなく、連結管に固着されたケーブル保持具を利用して、着脱自在に取り付けることができ、かつカバー部材を取り外して、ケーブル保持部へのケーブル類の巻き取りや、ケーブルコネクタ等の収納機器類の補修点検が容易となる。
【００２９】
また、多数の小孔により、ケーブル類からの放熱が促進される。
【００３０】
請求項６記載の発明によれば、カバー部材の取付がより確実になる。
【図面の簡単な説明】
【図１】本発明の配線収納装置の一実施形態を、分解して示す斜視図である。
【図２】図１に示す配線収納装置を、前後に対向する２つの机の間に設置した状態を、手前の机を一部破断して示す斜視図で、配線収納装置の配線ボックスが、上昇位置にある状態で示す図である。
【図３】同じく、図１に示す配線収納装置を、前後に対向する２つの机の間に設置した状態を、手前の机を一部破断して示す斜視図で、配線収納装置の配線ボックスが、下降位置にある状態で示す図である。
【図４】上昇位置にある配線ボックスの下面と机面との関係を示す、配線収納装置と天板の部分拡大縦断面図である。
【図５】同じく、下降位置にある配線ボックスの上面と机面との関係を示す、配線収納装置と天板の部分拡大縦断面図である。
【図６】配線収納装置の変形例の斜視図である。
【符号の説明】
(１)台脚
(２)下部支柱
(３)(４)連結杆
(５)上部支柱
(６)配線ボックス
(７)小孔
(８)切り込み
(９)ねじ孔
(10)ねじ
(11)ケーブル保持具
(11a)張り出し部
(12)箱体
(13)カバー部材
(14)フック
(15)小孔
(16a)電源コンセント
(16b)ネットワークコンセント
(17)ノートパソコン
(17a)電源コード
(18)プラグ
(Ａ)机
(Ｂ)天板
【図１】
0004271797.tif 000002
【図２】
0004271797.tif 000003
【図３】
0004271797.tif 000004
【図４】
0004271797.tif 000005
【図５】
0004271797.tif 000006
【図６】
0004271797.tif 000007